(57)【特許請求の範囲】
【請求項１】
受光レンズを介して結像される一対の被写体像を光強度に応じて電気信号に変換し、被写体像データとして出力する一対のセンサと、
前記一対のセンサ中にモニタ領域を設定し、積分中に、設定されたモニタ領域中の所定画素の積分状態に応じた信号を出力するモニタ手段と、
前記モニタ手段からの出力に基づいて、前記一対のセンサの動作制御を行う制御手段と、
前記一対のセンサから出力される被写体像データを読み出す読出手段と、
前記読出手段により読み出された被写体像データに基づいて、被写体距離に応じたデータを演算する測距演算手段と、
被写体輝度に応じたデータを演算する測光演算手段とから成るカメラの測距装置であって、
カメラの撮影モードに応じて、前記測距演算手段のための測距を行う場合と前記測光演算手段のための測光を行う場合とで、前記モニタ手段によって前記一対のセンサ中に設定するモニタ領域の範囲を切換えることが可能であり、通常モード時には前記モニタ手段は、前記測距演算手段のための測距を行う場合に設定されるモニタ領域の範囲よりも前記測光演算手段のための測光を行う場合に設定されるモニタ領域の範囲の方が広くなるように設定し、撮影画面の中央部について測距、測光を行うスポットモード時には前記モニタ手段は、前記測距演算手段のための測距を行う場合と前記測光演算手段のための測光を行う場合とで、モニタ領域の範囲を一致するように設定するとともに、前記スポットモード時に設定されるモニタ領域の範囲は、前記通常モード時の前記測距演算手段のための測距を行う場合に設定されるモニタ領域の範囲よりも狭いことを特徴とするカメラの測距装置。
【発明の詳細な説明】
【０００１】
【発明の属する技術分野】
本発明はカメラの測距装置に係り、特に、測距用のセンサを用いて、測距及び測光を行うカメラに好適するカメラの測距装置に関する。
【０００２】
【従来の技術】
従来、特開昭６１−９５３２４号公報に開示されているような、測距用のセンサを用いて測光を行う方法が知られている。
【０００３】
また、測距用のセンサを用いて測光を行う際の積分制御方法として、特開平５−５３０５０号公報に開示されているような、測距用のセンサに用いられるセンサアレイ中における最明部のセンサ出力を基準に積分制御を行う方法が知られている。
【０００４】
【発明が解決しようとする課題】
ところで、特開昭６１−９５３２４号公報や特開平５−５３０５０号公報に開示されているような測距用センサを用いて測光を行う方法では、測距時と測光時のセンサ範囲、モニタ範囲が同じであると、測距及び測光に最適なデータを得ることができないという問題が発生する。
【０００５】
また、これらの方法では、外光式の測距光学系で測距や測光を行うときに、センサ範囲やモニタ範囲を撮影レンズの焦点距離に応じて変えないと、撮影画面外の被写体の影響を受ける等の不都合が生じる等の問題も発生する。
【０００６】
しかしながら、特開昭６１−９５３２４号公報や特開平５−５３０５０号公報には、測距時と測光時のセンサ範囲や、積分制御を行うモニタ範囲との関係についての記載がないとともに、センサ範囲、モニタ範囲と撮影レンズの焦点距離との関係等についての記載がない。
【０００７】
本発明は、上記の事情に鑑みてなされたもので、測距及び測光を測距用のセンサを用いて行う際に、カメラの撮影モードに応じて、より高精度な測距及び測光を行うことができるカメラの測距装置を提供することを目的とする。
【０００８】
【課題を解決するための手段】
本発明によると、上記課題を解決するために、
（１）受光レンズを介して結像される一対の被写体像を光強度に応じて電気信号に変換し、被写体像データとして出力する一対のセンサと、
前記一対のセンサ中にモニタ領域を設定し、積分中に、設定されたモニタ領域中の所定画素の積分状態に応じた信号を出力するモニタ手段と、
前記モニタ手段からの出力に基づいて、前記一対のセンサの動作制御を行う制御手段と、
前記一対のセンサから出力される被写体像データを読み出す読出手段と、
前記読出手段により読み出された被写体像データに基づいて、被写体距離に応じたデータを演算する測距演算手段と、
被写体輝度に応じたデータを演算する測光演算手段とから成るカメラの測距装置であって、
カメラの撮影モードに応じて、前記測距演算手段のための測距を行う場合と前記測光演算手段のための測光を行う場合とで、前記モニタ手段によって前記一対のセンサ中に設定するモニタ領域の範囲を切換えることが可能であり、通常モード時には前記モニタ手段は、前記測距演算手段のための測距を行う場合に設定されるモニタ領域の範囲よりも前記測光演算手段のための測光を行う場合に設定されるモニタ領域の範囲の方が広くなるように設定し、撮影画面の中央部について測距、測光を行うスポットモード時には前記モニタ手段は、前記測距演算手段のための測距を行う場合と前記測光演算手段のための測光を行う場合とで、モニタ領域の範囲を一致するように設定するとともに、前記スポットモード時のモニタ領域の範囲は、前記通常モード時の前記測距演算手段のための測距を行う場合に設定されるモニタ領域の範囲よりも狭いことを特徴とするカメラの測距装置が提供される。
【００１３】
【発明の実施の形態】
以下図面を参照して本発明の実施の形態について説明する。
【００１４】
（第１の実施の形態）
図１は、本発明の第１の実施の形態に係るカメラの測距装置の構成を示すブロック図である。
【００１５】
すなわち、図１において、参照符号１０１ａ、１０１ｂは、一対の被写体像を後述する一対のラインセンサ１０２ａ、１０２ｂ上に結像させるための一対の受光レンズである。
【００１６】
また、参照符号１０２ａ、１０２ｂは、前記一対の受光レンズ１０１ａ、１０１ｂにより結像される前記一対の被写体像をその光強度に応じてアナログ電気信号に変換し、被写体像データとして出力する一対のラインセンサである。
【００１７】
また、参照符号１０３は、前記一対のラインセンサ１０２ａ、１０２ｂの積分動作の制御を行う積分制御回路である。
【００１８】
また、参照符号１０４は、前記一対のラインセンサ１０２ａ、１０２ｂから出力されるアナログ電気信号による前記一対の被写体像データをＡ／Ｄ変換し、デジタル電気信号による被写体像データとして読み出す読出手段である。
【００１９】
また、参照符号１０５は、各種制御信号の出力、被写体距離演算等の各種演算を行うＣＰＵである。
【００２０】
また、参照符号１０６は、前記一対のラインセンサ１０２ａ、１０２ｂ中にモニタ領域の設定を行い、前記一対のラインセンサ１０２ａ、１０２ｂの積分動作中の被写体輝度情報をモニタするモニタ手段である。
【００２１】
また、参照符号１０７は、撮影レンズの焦点距離状態を検出する焦点距離検出手段である。
【００２２】
図２は、本発明の第１の実施の形態に係るカメラの測距装置のモニタ領域の設定例を示す図である。
【００２３】
すなわち、図２の（ａ）は、撮影画面内での測距時のモニタ領域の設定例を示しており、参照符号１１１は撮影画面、参照符号１１２は撮影画面１１１に対するラインセンサ視野、参照符号１１３はラインセンサ視野１１２内のモニタ領域である。
【００２４】
また、図２の（ｂ）は、撮影画面内での測光時のモニタ領域の設定例を示している。
【００２５】
また、図２の（ｃ）は、ラインセンサ（１０２ａ、１０２ｂ）上のモニタ領域の設定例を示しており、参照符号１１４は、測距時のラインセンサ（１０２ａ、１０２ｂ）上のモニタ領域であり、参照符号１１５は測光時のラインセンサ（１０２ａ、１０２ｂ）上のモニタ領域である。
【００２６】
図３は、本発明の第１の実施の形態に係るカメラの測距装置のモニタ手段１０６の一例を示す図である。
【００２７】
すなわち、図３において、参照符号１０２ａ、１０２ｂは、前記一対の受光レンズ１０１ａ、１０１ｂにより結像された被写体像をその光強度に応じて光電変換し、電気信号に変換する前記一対のラインセンサである。
【００２８】
また、参照符号１４１ａ１〜１４１ａｎ及び１４１ｂ１〜１４１ｂｎは複数のコンパレータであり、前記一対のラインセンサ１０２ａ、１０２ｂの各画素から入力される積分電圧が、基準電圧ＶＲＥＦ以下になると、この複数のコンパレータ１４１ａ１〜１４１ａｎ及び１４１ｂ１〜１４１ｂｎはそれぞれＨ（Ｈｉｇｈ）レベル信号を出力する。
【００２９】
また、参照符号１４２ａ１〜１４２ａｎ及び１４２ｂ１〜１４２ｂｎは、により制御されるスイッチであり、モニタ手段１０６のモニタ領域設定時にコンパレータ１４１ａ１〜１４１ａｎ及び１４１ｂ１〜１４１ｂｎの出力と接続する。
【００３０】
また、参照符号１４３は、モニタ信号を出力するＯＲ回路であり、モニタに設定されているセンサのいずれか一つの積分電圧がＶＲＥＦ以下になるとＨ（Ｈｉｇｈ）レベル信号を出力する。
【００３１】
図４は、本発明の第１の実施の形態に係るカメラの測距装置のモニタ領域の設定方法の一例を示す図である。
【００３２】
すなわち、この場合、モニタ設定データのモニタ領域に設定する画素に対応するビットに１を立てることにり、モニタ領域の設定が行われる。
【００３３】
図４の（ａ）において、参照符号Ａは全画素モニタ設定時のモニタ領域の先頭画素であり、参照符号１５１は先頭画素Ａを先頭に全画素をモニタに設定した場合のモニタ領域である。
【００３４】
また、図４の（ｂ）において、参照符号Ｂは中央部の８画素分をモニタ領域に設定するときのモニタ領域の先頭画素であり、参照符号１５２は画素Ｂを先頭に中央部の８画素分をモニタに設定した場合のモニタ領域である。
【００３５】
図５は、本発明の第１の実施の形態に係るカメラの測距装置の測距及び測光シーケンスの手順を説明するために示すフローチャートである。
【００３６】
まず、ステップＳ１０１では、モニタ手段１０６により測距用のモニタ領域の設定が行われる。
【００３７】
次に、ステップＳ１０２では、ステップＳ１０１で設定されたモニタ領域内のピークデータに基づいて積分制御が行われる。
【００３８】
次に、ステップＳ１０３では、ステップＳ１０２の積分によるセンサデータを読み出し、ＣＰＵ１０５内のＲＡＭに格納する。
【００３９】
次に、ステップＳ１０４では、ＣＰＵ１０５内のＲＡＭに測距用の演算エリアの設定が行われる。
【００４０】
次に、ステップＳ１０５では、ステップＳ１０４で設定された演算エリアに基づいて、測距データの演算が行われる。
【００４１】
次に、ステップＳ１０６では、モニタ手段１０６により測光用のモニタ領域の設定が行われる。
【００４２】
次に、ステップＳ１０７では、ステップＳ１０６で設定されたモニタ領域内のピークデータに基づいて、積分制御が行われる。
【００４３】
次に、ステップＳ１０８では、ステップＳ１０７の積分によるセンサデータを読み出し、ＣＰＵ１０５内のＲＡＭに格納する。
【００４４】
次に、ステップＳ１０９では、ＣＰＵ１０５内のＲＡＭに測光用の演算エリアが設定される。
【００４５】
次に、ステップＳ１１０では、ステップＳ１０９で設定された演算エリアに基づいて、測光データの演算が行われる。
【００４６】
（第１の実施の形態の要旨）
すなわち、以上のような本発明の第１の実施の形態に係るカメラの測距装置は、図１に示すような構成の測距装置において、測距用のセンサを用いて測距を行う場合と測光を行う場合とで、積分制御に利用する積分速度の最も速い画素のデータ（ピークデータ）を検出する範囲（モニタ領域）を切り換えるようにするものである。
【００４７】
例えば、測距を行う場合には、図２の（ａ）に示すように撮影画面１１１の周辺部をモニタしないように、図２の（ｃ）に示す測距用のセンサの１１４の範囲をモニタ領域として設定する。
【００４８】
また、測光を行う場合には、図２の（ｂ）に示すように撮影画面１１１の周辺部も含むめてモニタするように、図２の（ｃ）に示す測距用のセンサの１１５の範囲をモニタ領域として設定する。
【００４９】
つまり、測距時には、撮影画面１１１の周辺部に存在する雑被写体の影響を受けないように、測距用のセンサに対して若干狭めの範囲にモニタ領域を設定し、測光時には、撮影画面１１１のできるだけ広い範囲を測光するために、測距用のセンサ全体をモニタ領域に設定する。
【００５０】
図２は、一対の測距用のセンサ１０２ａ、１０２ｂの一方の測距用のセンサに対するモニタ領域の設定を示したもので、他方の測距用のセンサに関しては設定してもよいし、しなくてもよい。
【００５１】
また、測距データ及び測光データの算出するために用いる測距用のセンサの演算範囲もモニタ領域と同様に、測距時はやや狭めの範囲に設定し、測光時は広い範囲に設定する。
【００５２】
この場合、演算範囲とモニタ領域は完全に一致させる必要はなく、必要に応じて範囲をずらしたり、広さをかえたりしてもよい。
【００５３】
図３は、モニタ手段１０６の一例を示すものであり、このモニタ手段１０６は、ＣＰＵ１０５より出力されるモニタ設定信号により、モニタ領域に設定する画素が選択され、選択された画素の中のピークデータが基準電圧ＶＲＥＦを超えるとＨ（Ｈｉｇｈ）レベル信号を出力し、積分制御手段１０３がこの信号を検出して積分動作を終了させる。
【００５４】
図４は、モニタ領域の設定方法の一例を示すものであり、ＣＰＵ１０５は各ビットがラインセンサの各画素に対応したデータを出力することにより、モニタ領域に設定する画素に対応するビットに１を立てる。
【００５５】
例えば、図４の（ａ）に示すように、１６画素から成るラインセンサの全ての画素範囲１５１をモニタ領域に設定する場合には、ＣＰＵ１０５はモニタ設定データとしてＦＦＦＦＨを出力する。
【００５６】
また、図４の（ｂ）に示すように、画素Ｂを先頭とする８画素範囲１５２をモニタ領域に設定する場合には０ＦＦ０Ｈを出力す。
【００５７】
これらのデータに基づいて、モニタ手段１０６はモニタ領域を設定する。
【００５８】
このような本発明の第１の実施の形態に係るカメラの測距装置によれば、測距を行う場合と測光を行う場合とで、それぞれ最適なデータを得ることができるので、測距用のセンサを用いて測距及び測光を行うときの測距及び測光性能を向上させることができる。
【００５９】
（第２の実施の形態）
本発明の第２の実施の形態に係るカメラの測距装置の構成は、図１に示した第１の実施の形態に係るカメラの測距装置の構成と同様である。
【００６０】
図６は、本発明の第２の実施の形態に係るカメラの測距装置のモニタ領域の設定例を示す図である。
【００６１】
すなわち、図６の（ａ）は、ワイド時の撮影画面内での測距時のモニタ領域の設定例を示しており、参照符号２１１は撮影画面であり、参照符号２１２は撮影画面２１１に対するラインセンサ視野であり、参照符号２１３はラインセンサ視野２１２内のモニタ領域である。
【００６２】
また、図６の（ｂ）は、ワイド時の撮影画面内での測光時のモニタ領域の設定例を示しており、図６の（ｃ）は、テレ時の撮影画面内での測距時のモニタ領域の設定例を示しており、図６の（ｄ）は、テレ時の撮影画面内での測光時のモニタ領域の設定例を示している。
【００６３】
また、図６の（ｅ）は、ワイド時のラインセンサ上のモニタ領域の設定例を示しており、参照符号２１４はワイド、測距時のラインセンサ上のモニタ領域であり、参照符号２１５はワイド、測光時のラインセンサ上のモニタ領域である。
【００６４】
また、図６の（ｆ）は、テレ時のラインセンサ上のモニタ領域の設定例を示しており、参照符号２１６はテレ、測距時のラインセンサ上のモニタ領域であり、参照符号２１７はテレ、測光時のラインセンサ上のモニタ領域である。
【００６５】
図７は、本発明の第２の実施の形態に係るカメラの測距装置の測距及び測光シーケンスの手順を説明するために示すフローチャートである。
【００６６】
まず、ステップＳ２０１では、焦点距離検出手段１０７により撮影レンズの焦点距離ｆが検出される。
【００６７】
次に、ステップＳ２０２では、ステップＳ２０１で検出された焦点距離ｆが所定値ｆよりも小さいかどうかが判定され、検出された焦点距離ｆが、所定値ｆよりも小さければ、ステップＳ２０３に進み、大きければ、ステップＳ２０４に進む。
【００６８】
次に、ステップＳ２０３では、モニタ手段１０６により、ワイド、測距用のモニタを設定する。
【００６９】
次に、ステップＳ２０４では、モニタ手段１０６によりテレ、測距用のモニタ領域を設定する。
【００７０】
次に、ステップＳ２０５では、ＣＰＵ１０５内のＲＡＭにワイド、測距用の演算エリアを設定する。
【００７１】
次に、ステップＳ２０６では、ＣＰＵ１０５内のＲＡＭにテレ、測距用の演算エリアを設定する。
【００７２】
次に、ステップＳ２０７では、ステップＳ２０３、Ｓ２０４のいずれかで設定されたモニタ領域内のピークデータに基づいて積分制御が行われる。
【００７３】
次に、ステップＳ２０８では、ステップＳ２０７の積分によるセンサデータを読み出し、ＣＰＵ１０５内のＲＡＭに格納する。
【００７４】
次に、ステップＳ２０９では、ステップＳ２０５、Ｓ２０６のいずれかで設定された演算エリアに基づいて、測距データの演算が行われる。
【００７５】
次に、ステップＳ２１０では、ステップＳ２０１で検出された焦点距離ｆが所定値ｆよりも小さいかどうかが判定され、検出された焦点距離ｆが、所定値ｆよりも小さければ、ステップＳ２１１に進み、大きければ、ステップＳ２１２に進む。
【００７６】
次に、ステップＳ２１１では、モニタ手段１０６によりワイド、測光用のモニタ領域を設定する。
【００７７】
次に、ステップＳ２１２では、モニタ手段１０６によりテレ、測光用のモニタ領域を設定する。
【００７８】
次に、ステップＳ２１３では、ＣＰＵ１０５内のＲＡＭにワイド、測光用の演算エリアを設定する。
【００７９】
次に、ステップＳ２１４では、ＣＰＵ１０５内のＲＡＭにテレ、測光用の演算エリアを設定する。
【００８０】
次に、ステップＳ２１５では、ステップＳ２１１、Ｓ２１２のいずれかで設定されたモニタ領域内のピークデータに基づいて積分制御が行われる。
【００８１】
次に、ステップＳ２１６では、ステップＳ２１５の積分によるセンサデータを読み出し、ＣＰＵ１０５内のＲＡＭに格納する。
【００８２】
次に、ステップＳ２１７では、ステップＳ２１３、Ｓ２１４のいずれかで設定された演算エリアに基づいて測光データの演算が行われる。
【００８３】
（第２の実施の形態の要旨）
この第２の実施の形態は、図１に示すような構成のカメラの測距装置において、焦点距離検出手段１０７により検出されるカメラの撮影レンズの焦点距離に応じて、積分制御に利用する積分速度の最も速い画素のデータ（ピークデータ）を検出する範囲（モニタ領域）も切り換えるようにするものである。
【００８４】
例えば、撮影レンズの焦点距離がワイドの場合、測距を行うときには、図６の（ａ）に示すような撮影画面２１１の周辺部をモニタしない範囲にモニタ領域２１３を設定するために、モニタ手段１０６により、図６の（ｅ）に示す測距用のセンサの２１４の範囲をモニタ領域として設定する。
【００８５】
また、この場合、測光を行うときには、図６の（ｂ）に示すような撮影画面２１１の周辺部も含むめてモニタする範囲にモニタ領域２１３を設定するために、モニタ手段１０６により、図６の（ｅ）に示す測距用のセンサの２１５の範囲をモニタ領域として設定する。
【００８６】
また、撮影レンズの焦点距離がテレの場合、測距を行うときには、図６の（ｃ）に示すような撮影画面２１１の周辺部をモニタしない範囲にモニタ領域２１３を設定するために、モニタ手段１０６により、図６の（ｆ）に示す測距用のセンサの２１６の範囲をモニタ領域として設定する。
【００８７】
また、この場合、測光を行うときには図６の（ｄ）に示すような撮影画面２１１の周辺部も含むめてモニタする範囲にモニタ領域２１３を設定するために、モニタ手段１０６により、図６の（ｆ）に示す測距用のセンサの２１７の範囲をモニタ領域として設定する。
【００８８】
つまり、撮影レンズの焦点距離がテレの場合には、撮影画面２１１外の被写体の影響を受けないように、ワイド時に対して、測距及び測光を行ういずれの場合にも、相対的に測距用のセンサの狭い範囲にモニタ領域が設定される。
【００８９】
上記の例では、テレとワイドの二段階の切換であるが、撮影レンズの焦点距離に応じて連続的な切換を行うようにしてもよい。
【００９０】
このような本発明の第２の実施の形態に係るカメラの測距装置によれば、撮影レンズの焦点距離が変化しても、測距を行う場合と測光を行う場合とで、それぞれ、最適なデータを得ることができるので、ズームレンズ付カメラに搭載した場合でも、測距及び測光性能を向上させることができる。
【００９１】
（第３の実施の形態）
（第３の実施の形態の要旨）
本発明の第３の実施の形態に係るカメラの測距装置の構成は、図１に示した第１の実施の形態に係るカメラの測距装置の構成と同様である。
【００９２】
図８は、本発明の第３の実施の形態に係るカメラの測距装置のモニタ領域の設定例を示す図である。
【００９３】
すなわち、図８の（ａ）は通常モード時の撮影画面内での測距時のモニタ領域の設定例を示しており、参照符号３１１は撮影画面であり、参照符号３１２は撮影画面３１１に対するラインセンサ視野であり、参照符号３１３はラインセンサ視野３１２内のモニタ領域である。
【００９４】
また、図８の（ｂ）は通常モード時の撮影画面内での測光時のモニタ領域の設定例を示しており、図８の（ｃ）はスポットモード時の撮影画面内での測距及び測光時のモニタの設定例を示している。
【００９５】
また、図８の（ｄ）は通常モード時のラインセンサ上のモニタ領域の設定例を示しており、参照符号３１４は通常モード、測距時のラインセンサ上のモニタ領域であり、参照符号３１５は通常モード、測光時のラインセンサ上のモニタ領域である。
【００９６】
また、図８の（ｅ）はスポットモード時のラインセンサ上のモニタ領域の設定例を示しており、参照符号３１６はスポットモード、測距及び測光時のラインセンサ上のモニタ領域である。
【００９７】
図９は、本発明の第３の実施の形態に係るカメラの測距装置の測距及び測光シーケンスの手順を説明するために示すフローチャートである。
【００９８】
まず、ステップＳ３０１では、カメラの撮影モードが検出される。
【００９９】
次に、ステップＳ３０１では、ステップＳ３０１で検出された撮影モードがスポットモードであるかどうかが判定され、検出された撮影モードが、スポットモードであれば、ステップＳ３０３に進み、通常モードであれば、ステップＳ３０４に進む。
【０１００】
次に、ステップＳ３０３では、モニタ手段１０６によりスポットモード、測距及び測光用のモニタ領域が設定される。
【０１０１】
次に、ステップＳ３０４では、モニタ手段１０６により通常モード、測距用のモニタが設定される。
【０１０２】
次に、ステップＳ３０５では、ＣＰＵ１０５内のＲＡＭにスポットモード、測距及び測光用の演算エリアを設定する。
【０１０３】
次に、ステップＳ３０６では、ＣＰＵ１０５内のＲＡＭに通常モード、測距用の演算エリアを設定する。
【０１０４】
次に、ステップＳ３０７では、ステップＳ３０３、Ｓ３０４のいずれかで設定されたモニタ領域内のピークデータに基づいて、積分制御が行われる。
【０１０５】
次に、ステップＳ３０８では、ステップＳ３０７の積分によるセンサデータを読み出し、ＣＰＵ１０５内のＲＡＭに格納する。
【０１０６】
次に、ステップＳ３０９では、ステップＳ３０５、Ｓ３０６のいずれかで設定された演算エリアに基づいて測距データの演算が行われる。
【０１０７】
次に、ステップＳ３１０では、ステップＳ３０１で検出された撮影モードがスポットモードであるかどうかが判定され、検出された撮影モードが、スポットモードであれば、ステップＳ３１３に進み、通常モードであれば、ステップ３１１に進む。
【０１０８】
次に、ステップＳ３１１では、モニタ手段１０６により通常モード、測光用のモニタ領域を設定する。
【０１０９】
次に、ステップＳ３１２では、ＣＰＵ１０５内のＲＡＭに通常モード、測光用の演算エリアを設定する。
【０１１０】
次に、ステップＳ３１３では、ステップＳ３０３、Ｓ３１１のいずれかで設定されたモニタ領域内のピークデータに基づいて積分制御が行われる。
【０１１１】
次に、ステップＳ３１４では、ステップＳ３１３の積分によるセンサデータを読み出し、ＣＰＵ１０５内のＲＡＭに格納する。
【０１１２】
次に、ステップＳ３１５では、ステップＳ３０５、Ｓ３１２のいずれかで設定された演算エリアに基づいて測光データの演算が行われる。
【０１１３】
（第３の実施の形態の要旨）
本発明の第３の実施の形態に係るカメラの測距装置は、図１に示すような構成の測距装置において、カメラの撮影モードに応じて、積分制御に利用する積分速度の最も速い画素のデータ（ピークデータ）を検出する範囲（モニタ領域）も切り換えるようにするものである。
【０１１４】
例えば、撮影モードが通常モードの場合には、測距を行うときには、図８の（ａ）に示すように撮影画面３１１の周辺部をモニタしないように、図８の（ｄ）に示す測距用のセンサの３１４の範囲をモニタ領域として設定する。
【０１１５】
また、この場合、測光を行うときには、図８の（ｂ）に示すように撮影画面３１１の周辺部も含むめてモニタするように、図８の（ｄ）に示す測距用のセンサの３１５の範囲をモニタ領域として設定する。
【０１１６】
また、撮影モードがスポットモードのときには、測距及び測光を行ういずれの場合にも、図８の（ｃ）に示すように撮影画面３１１の中央部をモニタするように、図８の（ｅ）に示す測距用のセンサの３１６の範囲をモニタ領域として設定する。
【０１１７】
つまり、撮影モードが通常モードの場合には、測距時には撮影画面３１１の周辺部に存在する雑被写体の影響を受けないように、測距用のセンサに対して若干狭めの範囲にモニタエリアを設定し、測光時には撮影画面３１１のできるだけ広い範囲を測光するために、測距用のセンサ全体をモニタ領域に設定する。
【０１１８】
しかるに、スポットモードの場合には、撮影画面３１１の中央部のデータを最適に測定するために測距及び測光を行ういずれの場合にも、測距用のセンサの中央部にモニタ領域を設定する。
【０１１９】
つまり、通常モード時は測距用のセンサの広い範囲にモニタ領域が設定され、スポットモード時は測距用のセンサの中央部の狭い範囲にモニタ領域が設定される。
【０１２０】
このような本発明の第３の実施の形態に係るカメラの測距装置によれば、カメラの撮影モードに応じて適切なデータが取得することができるので、設定された撮影モードに対して最適かつ高精度な測距及び測光を行うことができる。
【０１２１】
（第４の実施の形態）
図１０は、本発明の第４の実施の形態に係るカメラの測距装置の構成を示すブロック図である。
【０１２２】
すなわち、図１０において、参照符号４０１ａ、４０１ｂは、一対の被写体像を後述する一対のエリアセンサ４０２ａ、４０２ｂ上に結像させるための一対の受光レンズである。
【０１２３】
また、参照符号４０２ａ、４０２ｂは、前記一対の受光レンズ４０１ａ、４０１ｂにより結像される前記一対の被写体像をその光強度に応じてアナログ電気信号に変換し、被写体像データとして出力する一対のエリアセンサである。
【０１２４】
また、参照符号４０３は、前記一対のエリアセンサ４０２ａ、４０２ｂの積分動作の制御を行う積分制御回路である。
【０１２５】
また、参照符号４０４は、前記一対のエリアセンサ４０２ａ、４０２ｂから出力されるアナログ電気信号による前記一対の被写体像データをＡ／Ｄ変換し、デジタル電気信号による被写体像データとして読み出す読出手段である。
【０１２６】
また、参照符号４０５は、各種制御信号の出力、被写体距離演算等の各種演算を行うＣＰＵである。
【０１２７】
また、参照符号４０６は、前記一対のエリアセンサ４０２ａ、４０２ｂ中にモニタ領域の設定を行い、前記一対のエリアセンサ４０２ａ、４０２ｂの積分動作中の被写体輝度情報をモニタするモニタ手段である。
【０１２８】
また、参照符号４０７は、撮影レンズの焦点距離状態を検出する焦点距離検出手段である。
【０１２９】
図１１は、本発明の第４の実施の形態に係るカメラの測距装置のモニタ領域の設定例を示す図である。
【０１３０】
すなわち、図１１の（ａ）は、測距時のモニタ領域の設定例を示しており、図１１の（ｂ）は、測光時のモニタ領域の設定例を示しており、図１１の（ｃ）は、スポットモード、測距及び測光時のモニタ領域の設定例を示している。
【０１３１】
（第４の実施の形態の要旨）
本発明の第４の実施の形態に係るカメラの測距装置の構成は、図１０に示すようなものであり、第１乃至３の実施の形態では受光素子としてラインセンサを用いていたのに対して、エリアセンサを用いるようにしたものである。
【０１３２】
本発明の第４の実施の形態に係るカメラの測距装置におけるモニタ領域の設定は、測距時には図１１の（ａ）の斜線部に示すように、エリアセンサの周辺部を除いた範囲にモニタ領域を設定し、測光時には図１１の（ｂ）の斜線部に示すように、エリアセンサ全体にモニタ領域を設定する。
【０１３３】
また、カメラの撮影モードがスポットモード等の場合には、図１１の（ｃ）の斜線部に示すように、エリアセンサの中央部にモニタ領域を設定する。
【０１３４】
また、本発明の第４の実施の形態に係るカメラの測距装置においても、第２の実施の形態と同様に、通常モード時のモニタ領域を撮影レンズの焦点距離の応じて切り換えるようにしてもよい。
【０１３５】
このような本発明の第４の実施の形態に係るカメラの測距装置によれば、受光素子にエリアセンサを用いた場合にも、ラインセンサを使用する第１乃至３の実施の形態と同様に最適かつ高精度な測距及び測光を行うことができる。
【０１３６】
以上、説明したように、本発明のカメラの測距装置によれば、測距を行う場合と測光を行う場合とで、それぞれ、最適なデータを得ることができるので、測距及び測光を測距用のセンサを用いて行う際に、より高精度な測距及び測光を行うことができる。
【０１３７】
【発明の効果】
従って、以上説明したように、本発明によれば、測距及び測光を測距用のセンサを用いて行う際に、カメラの撮影モードに応じて、より高精度な測距及び測光を行うことができるカメラの測距装置を提供することができる。
【図面の簡単な説明】
【図１】図１は、本発明の第１の実施の形態に係るカメラの測距装置の構成を示すブロック図である。
【図２】図２は、本発明の第１の実施の形態に係るカメラの測距装置のモニタ領域の設定例を示す図である。
【図３】図３は、本発明の第１の実施の形態に係るカメラの測距装置のモニタ手段１０６の一例を示す図である。
【図４】図４は、本発明の第１の実施の形態に係るカメラの測距装置のモニタ領域の設定方法の一例を示す図である。
【図５】図５は、本発明の第１の実施の形態に係るカメラの測距装置の測距及び測光シーケンスの手順を説明するために示すフローチャートである。
【図６】図６は、本発明の第２の実施の形態に係るカメラの測距装置のモニタ領域の設定例を示す図である。
【図７】図７は、本発明の第２の実施の形態に係るカメラの測距装置の測距及び測光シーケンスの手順を説明するために示すフローチャートである。
【図８】図８は、本発明の第３の実施の形態に係るカメラの測距装置のモニタ領域の設定例を示す図である。
【図９】図９は、本発明の第３の実施の形態に係るカメラの測距装置の測距及び測光シーケンスの手順を説明するために示すフローチャートである。
【図１０】図１０は、本発明の第４の実施の形態に係るカメラの測距装置の構成を示すブロック図である。
【図１１】図１１は、本発明の第４の実施の形態に係るカメラの測距装置のモニタ領域の設定例を示す図である。
【符号の説明】
１０１ａ、１０１ｂ…一対の受光レンズ、
１０２ａ、１０２ｂ…一対のラインセンサ、
１０３…積分制御回路、
１０４…読出手段、
１０５…ＣＰＵ、
１０６…モニタ手段、
１０７…焦点距離検出手段、
１１１…撮影画面、
１１２…ラインセンサ視野、
１１３…ラインセンサ視野１１２内のモニタ領域、
１１４…測距時のラインセンサ（１０２ａ、１０２ｂ）上のモニタ領域、
１１５…測光時のラインセンサ（１０２ａ、１０２ｂ）上のモニタ領域、
１４１ａ１〜１４１ａｎ及び１４１ｂ１〜１４１ｂｎ…複数のコンパレータ、
１４２ａ１〜１４２ａｎ及び１４２ｂ１〜１４２ｂｎ…スイッチ、
１４３…ＯＲ回路、
Ａ…全画素モニタ設定時のモニタ領域の先頭画素、
１５１…全画素をモニタに設定した場合のモニタ領域、
Ｂ…中央部の８画素分をモニタ領域に設定するときのモニタ領域の先頭画素、
１５２…中央部の８画素分をモニタに設定した場合のモニタ領域、
４０１ａ、４０１ｂ…一対の受光レンズ、
４０２ａ、４０２ｂ…一対のエリアセンサ、
４０３…積分制御回路、
４０４…読出手段、
４０５…ＣＰＵ、
４０６…モニタ手段、
４０７…焦点距離検出手段。
【図１】
0004331438.tif 000002
【図２】
0004331438.tif 000003
【図３】
0004331438.tif 000004
【図４】
0004331438.tif 000005
【図５】
0004331438.tif 000006
【図６】
0004331438.tif 000007
【図７】
0004331438.tif 000008
【図８】
0004331438.tif 000009
【図９】
0004331438.tif 000010
【図１０】
0004331438.tif 000011
【図１１】
0004331438.tif 000012